(57)【要約】【課題】竹とんぼ作りを行うために必要な材料や用具のうち、通常家庭や学校などに常備されていない材料や用具をセットにし、竹とんぼ製作を容易に行えるようにする。【解決手段】本考案は、事前に加工を施した羽根用竹材及び竹軸に、竹とんぼ製作に必要な紙やすりや作り方説明書などを一緒に袋に封入し竹とんぼ製作セットにすることにより竹とんぼ製作を容易に行えるようにした。【選択図】図１
0003118797.tif 000002
【実用新案登録請求の範囲】
【請求項１】
竹とんぼ作りを行うために必要な材料や用具のうち、通常家庭や学校などに常備されていない羽根用竹材、竹軸、紙やすり、作り方説明書などをセットにして袋に封入し、家庭や学校での竹とんぼ作りが容易に行えるようにしてあることを特徴とする竹とんぼ製作セット。
【考案の詳細な説明】
【技術分野】
【０００１】  本考案は、竹とんぼ作りに必要な羽根用竹材、竹軸、紙やすり、作り方説明書などをセットにした竹とんぼ製作セットに関するものである。
【背景技術】
【０００２】  従来、竹とんぼを製作するためには羽根用竹材、竹軸、紙やすりなどを別々に購入もしくは製作していた。また、竹とんぼを製作するには経験者の指導もしくは作り方説明書の入手が必要であった。
【考案の開示】
【考案が解決しようとする課題】
【０００３】  竹とんぼを製作するための羽根用竹材、竹軸、紙やすりなどを別々に購入もしくは製作すること、更には経験者の指導を受けることもしくは作り方説明書を準備することは時間的、労働的負担である。従って、竹とんぼ作りを行うために必要な材料や用具のうち、通常家庭や学校などに常備されていない羽根用竹材、竹軸、紙やすり、作り方説明書などをセットにし、前述の欠点を解消しようとするものである。
【問題を解決するための手段】
【０００４】  本考案は、竹とんぼ製作を容易にするために事前に加工を施した羽根用竹材及び竹軸に、竹とんぼ製作に必要な紙やすりや作り方説明書などを一緒に袋に封入し竹とんぼ製作セットにすることにより問題点を解決している。
【考案の効果】
【０００５】  本考案の竹とんぼ製作セットを使えば、通常家庭や学校に常備されているゼムクリップ、アルミホイル、ライター、接着剤などを準備するだけで、容易に竹とんぼを製作することが出来る。
【考案を実施するための最良の形態】
【０００６】  本考案の竹とんぼ製作セットに封入されている羽根用竹材、竹軸、紙やすり、作り方説明書に加えて、通常家庭や学校に常備されているゼムクリップ、アルミホイル、ライター、接着剤などを準備することにより、作り方説明書に従って家庭や学校で簡単に竹とんぼ作りを楽しむことができる。
【実施例】
【０００７】  以下、添付図面に従って実施例を説明する。１は竹とんぼ製作セットの封入物である。竹とんぼ製作セットの材料や用具に加えて、通常家庭や学校に常備されているゼムクリップ、アルミホイル、ライター、接着剤などを準備し、作り方説明書に従って竹とんぼを製作する。
【産業上の利用可能性】
【０００８】  本考案の竹とんぼ製作セットは、家庭や学校で竹とんぼ作りを楽しめることに加えて、記念品や参加賞の品として活用できる。また、羽根用の竹材や作り方説明書に企業名や団体名を記載することでノベルティ商品としても利用できる。
【図面の簡単な説明】
【０００９】
【図１】  竹とんぼ製作セットの封入物を示した図である
【符号の説明】
１  竹とんぼ製作セット
２  羽根用竹材
３  竹軸
４  紙やすり
５  作り方説明書
【図１】
0003118797.tif 000003
【手続補正書】
【提出日】平成17年10月24日(2005.10.24)
【手続補正１】
【補正対象書類名】実用新案登録請求の範囲
【補正対象項目名】全文
【補正方法】変更
【補正の内容】
【実用新案登録請求の範囲】
【請求項１】
竹とんぼ作りを行うために必要な材料や用具のうち、家庭や学校に常備されていない、竹とんぼ作りのために事前に加工を施した羽根用竹材及び竹軸、竹とんぼ作りに適した大きさにカットされた紙やすり（５ｃｍｘ１１ｃｍ）、竹とんぼ作り方説明書をセットにして袋に封入し、家庭や学校での竹とんぼ作りが容易に行えるようにしてあることを特徴とする竹とんぼ製作セット。
【手続補正２】
【補正対象書類名】明細書
【補正対象項目名】全文
【補正方法】変更
【補正の内容】
【考案の詳細な説明】
【技術分野】
【０００１】  本考案は、竹とんぼ作りに必要な羽根用竹材、竹軸、紙やすり（５ｃｍｘ１１ｃｍ）、作り方説明書をセットにした竹とんぼ製作セットに関するものである。
【背景技術】
【０００２】  従来、竹とんぼを製作するためには羽根用竹材、竹軸、紙やすりを別々に購入し加工して使用していた。また、竹とんぼを製作するには経験者の指導もしくは作り方説明書の入手が必要であった。
【考案の開示】
【考案が解決しようとする課題】
【０００３】  竹とんぼを製作するための羽根用竹材、竹軸、紙やすりを別々に購入して加工すること、更には経験者の指導を受けることもしくは作り方説明書を準備することは時間的、労働的負担である。従って、竹とんぼ作りを行うために必要な材料や用具のうち、家庭や学校に常備されていない、竹とんぼ作りのために事前に加工を施した羽根用竹材及び竹軸、竹とんぼ作りに適した大きさにカットされた紙やすり（５ｃｍｘ１１ｃｍ）、竹とんぼ作り方説明書をセットにし、前述の欠点を解消しようとするものである。
【問題を解決するための手段】
【０００４】  本考案は、竹とんぼ製作を容易にするために事前に加工を施した羽根用竹材及び竹軸に、竹とんぼ作りに適した大きさにカットされた紙やすり（５ｃｍｘ１１ｃｍ）、竹とんぼ作り方説明書を一緒に袋に封入し竹とんぼ製作セットにすることにより問題点を解決している。
【考案の効果】
【０００５】  本考案の竹とんぼ製作セットを使えば、簡単に入手できるゼムクリップ、アルミホイル、ライター、接着剤を準備するだけで、容易に竹とんぼを製作することが出来る。
【考案を実施するための最良の形態】
【０００６】  本考案の竹とんぼ製作セットに封入されている羽根用竹材、竹軸、紙やすり、作り方説明書に加えて、簡単に入手できるゼムクリップ、アルミホイル、ライター、接着剤を準備することにより、作り方説明書に従って家庭や学校で簡単に竹とんぼ作りを楽しむことができる。
【実施例】
【０００７】  以下、添付図面に従って実施例を説明する。１は竹とんぼ製作セットの封入物である。竹とんぼ製作セットの材料や用具に加えて、簡単に入手できるゼムクリップ、アルミホイル、ライター、接着剤を準備し、作り方説明書に従って竹とんぼを製作する。
【産業上の利用可能性】
【０００８】  本考案の竹とんぼ製作セットは、家庭や学校で竹とんぼ作りを楽しめることに加えて、記念品や参加賞の品として活用できる。また、羽根用の竹材や作り方説明書に企業名や団体名を記載することでノベルティ商品としても利用できる。
【図面の簡単な説明】
【０００９】
【図１】  竹とんぼ製作セットの封入物を示した図である
【符号の説明】
１  竹とんぼ製作セット（符号２から５が封入されている袋）
２  羽根用竹材（事前加工済み）
３  竹軸（事前加工済み）
４  竹とんぼ作りに適した大きさにカットされた紙やすり（５ｃｍｘ１１ｃｍ）
５  竹とんぼ作り方説明書（Ａ４サイズ）
【手続補正３】
【補正対象書類名】図面
【補正対象項目名】全図
【補正方法】変更
【補正の内容】
【図１】
0003118797.tif 000004